(57)【要約】【課題】かつら用毛髪の染色方法及びかつらの製造方法において、簡単かつ確実に多段染色を行う。【解決手段】かつら用毛髪の植毛方法は、かつら用毛髪を脱色する脱色工程（Ｓ２）と、脱色されたかつら用毛髪の全体を染色する予備染色工程（Ｓ３）と、予備染色されたかつら用毛髪を段階的に異なる色となるように染色する多段染色工程（Ｓ４）と、を備える。【選択図】図１
2012193462.tif 000002
【特許請求の範囲】
【請求項１】
かつら用毛髪を脱色する脱色工程と、
脱色された前記かつら用毛髪の全体を染色する予備染色工程と、
予備染色された前記かつら用毛髪を段階的に異なる色となるように染色する多段染色工程と、
を備えることを特徴とするかつら用毛髪の染色方法。
【請求項２】
前記多段染色工程では、前記かつら用毛髪の束を段階的に染料に浸漬させることを特徴とする請求項１記載のかつら用毛髪の染色方法。
【請求項３】
前記脱色工程よりも前に前記かつら用毛髪の表面処理を行う表面処理工程を更に備え、
前記表面処理工程では、前記かつら用毛髪を、硝酸を含む溶液に浸漬する、
ことを特徴とする請求項１又は請求項２記載のかつら用毛髪の染色方法。
【請求項４】
前記表面処理工程では、前記かつら用毛髪を、前記硝酸及び次亜塩素酸カルシウムを含む前記溶液に浸漬することを特徴とする請求項３記載のかつら用毛髪の染色方法。
【請求項５】
請求項１から請求項４のいずれか１項記載のかつら用毛髪の染色方法により染色されたかつら用毛髪をかつらベースに植毛する植毛工程を備えることを特徴とするかつらの製造方法。
【請求項６】
前記かつら用毛髪の染色方法の前記多段染色工程では、前記かつら用毛髪の束を半分に折り、該束を段階的に前記染料に浸漬させ、
前記植毛工程では、前記多段染色工程で前記束を半分に折った部分又はその近傍において前記かつら用毛髪を前記かつらベースに植毛する、
ことを特徴とする請求項５記載のかつらの製造方法。
【発明の詳細な説明】
【技術分野】
【０００１】
本発明は、かつら用毛髪を段階的に異なる色となるように染色するかつら用毛髪の染色方法と、この染色方法により染色された毛髪をかつらベースに植毛してかつらを製造するかつらの製造方法とに関する。
【背景技術】
【０００２】
従来、かつら用の毛髪を段階的に異なる色となるように染色する染色方法が提案されている（例えば、特許文献１参照）。
【０００３】
上記特許文献１記載の染色方法では、脱色工程の後、毛髪の染色しない部分を密封し包んで毛髪の染色しようとする部分を露出させ、この状態の毛髪を染色剤の水溶液の中に入れて染色するという手法をとっている。
【先行技術文献】
【特許文献】
【０００４】
【特許文献１】特許第３８６０８１９号公報
【発明の概要】
【発明が解決しようとする課題】
【０００５】
ところで、毛髪を段階的に異なる色に染色する場合でも、それぞれの色は近い色であることが多い。
【０００６】
しかし、上記特許文献１記載の染色方法は、脱色する濃さを多少調整していても、脱色された毛髪に一部分ずつ段階的に着色を行うため、濃さにばらつきが出るなど確実に所望の多段染色を行うことができなかったり、或いは、染色の作業性が悪化したりする。
【０００７】
本発明の目的は、簡単かつ確実に多段染色を行うことができる、かつら用毛髪の染色方法及びかつらの製造方法を提供することである。
【課題を解決するための手段】
【０００８】
本発明のかつら用毛髪の染色方法は、かつら用毛髪を脱色する脱色工程と、脱色された上記かつら用毛髪の全体を染色する予備染色工程と、予備染色された上記かつら用毛髪を段階的に異なる色となるように染色する多段染色工程と、を備える。
【０００９】
また、上記かつら用毛髪の染色方法において、上記多段染色工程では、上記かつら用毛髪の束を段階的に染料に浸漬させるようにしてもよい。
【００１０】
また、上記かつら用毛髪の染色方法において、上記脱色工程よりも前に上記かつら用毛髪の表面処理を行う表面処理工程を更に備え、上記表面処理工程では、上記かつら用毛髪を、硝酸を含む溶液に浸漬するようにしてもよい。
【００１１】
また、上記かつら用毛髪の染色方法において、上記表面処理工程では、上記かつら用毛髪を、上記硝酸及び次亜塩素酸カルシウムを含む上記溶液に浸漬するようにしてもよい。
【００１２】
本発明のかつらの製造方法は、上記かつら用毛髪の染色方法により染色されたかつら用毛髪をかつらベースに植毛する植毛工程を備える。
【００１３】
また、上記かつらの製造方法において、上記かつら用毛髪の染色方法の上記多段染色工程では、上記かつら用毛髪の束を半分に折り、この束を段階的に上記染料に浸漬させ、上記植毛工程では、上記多段染色工程で上記束を半分に折った部分又はその近傍において上記かつら用毛髪を上記かつらベースに植毛するようにしてもよい。
【発明の効果】
【００１４】
本発明によれば、簡単かつ確実に多段染色を行うことができる。
【図面の簡単な説明】
【００１５】
【図１】本発明の一実施の形態に係るかつら用毛髪の染色方法及びかつらの製造方法を示すフローチャートである。
【図２】本発明の一実施の形態におけるかつら（かつら用毛髪は省略）を示す斜視図である。
【図３】本発明の一実施の形態に係るかつら用毛髪の染色方法及びかつらの製造方法を説明するための概略図である。
【発明を実施するための形態】
【００１６】
以下、本発明の実施の形態に係るかつら用毛髪の染色方法及びかつらの製造方法について、図面を参照しながら説明する。
【００１７】
図１は、本発明の一実施の形態に係るかつら用毛髪の染色方法及びかつらの製造方法を示すフローチャートである。
【００１８】
図２は、本実施の形態におけるかつら（かつら用毛髪は省略）を示す斜視図である。
【００１９】
図３は、本実施の形態に係るかつら用毛髪の染色方法及びかつらの製造方法を説明するための概略図である。
【００２０】
図１に示すように、かつら用毛髪の染色方法は、表面処理工程（Ｓ１）と、脱色工程（Ｓ２）と、予備染色工程（Ｓ３）と、多段染色工程（Ｓ４）とを備える。
【００２１】
また、かつらの製造方法は、かつら用毛髪の染色方法の各工程（Ｓ１〜Ｓ４）に加え、更に植毛工程（Ｓ５）を備える。
【００２２】
以下、各工程を順に説明する。
【００２３】
表面処理工程（Ｓ１）では、かつら用毛髪の表面処理を行う。本実施の形態の表面処理は、毛髪表面のキューティクルや汚れの除去である。表面処理としては、コーティング等の加工を施すものであってもよい。
【００２４】
まず、多数本の染色用のかつら用毛髪を用意し、計量する。かつら用毛髪が１ｋｇの場合、例えば軟化水３０ｋｇを容器に投入する。この軟化水を投入した容器に、順番に硝酸（ＨＮＯ３）１５０ｍｌ、次亜塩素酸カルシウム（ＣａＣｌ（ＣｌＯ）・Ｈ２Ｏ）３００ｍｌを入れる。
【００２５】
その後、この容器にかつら用毛髪を入れてかき混ぜ続け、５分後にかつら用毛髪を取り出す。この取り出したかつら用毛髪は水で洗い流す。
【００２６】
そして、７０℃の水にアンモニア水を入れたものにかつら用毛髪を入れ、５分間中和させる。
【００２７】
上述の処理により、毛髪表面のキューティクル及び汚れが取り除かれる。また、かつら用毛髪が水分を含んでいても櫛どおりが良く絡みにくくなる。但し、キューティクルを取り除きすぎると、表面に光沢感が出て外観を損なうおそれがある。そのため、キューティクルを取り除きすぎないように、硝酸等の濃度や処理時間を調整するとよい。
【００２８】
また、硝酸及び次亜塩素酸カルシウムは、水（軟化水）に対して質量パーセント濃度が１０％以下（本実施の形態では、硝酸１％以下，次亜塩素酸カルシウム２，３％）となるようにするとよい。
【００２９】
次に、脱色工程（Ｓ２）では、表面処理工程（Ｓ１）で表面処理されたかつら用毛髪を脱色する。
【００３０】
まず、上述のようにアンモニア水で中和された１ｋｇの毛髪に対して、１２ｋｇの温水を用意する。
【００３１】
そして、この温水に、過硫酸カルシウム（Ｋ２Ｓ２Ｏ８）３０％、ケイ酸ナトリウム（Ｎａ２Ｓｉ３Ｏ７）２０％、過硫酸酸アンモニウム（Ｈ８Ｎ２Ｏ８Ｓ２／（ＮＨ４）２Ｓ２Ｏ８）１０％、過硫酸塩（ペルオキソ一硫酸塩）（Ｈ２ＳＯ５の塩）５％を含む７００ｇの溶液、及び、オキシドール１ｋｇを加え、これらを完全に温水に溶解させ、かつら用毛髪を入れてかき回す。
【００３２】
かつら用毛髪が所望の色に脱色した頃に、かつら用毛髪を引き上げる。引き上げた後、きれいな水でかつら用毛髪を３，４回洗う。なお、脱色する濃さは、後述する多段染色工程（Ｓ４）において濃い色に染色する場合は濃くし、薄い色に染色する場合は薄くするとよい。
【００３３】
次に、予備染色工程（Ｓ３）では、脱色されたかつら用毛髪の全体を染色する。
【００３４】
まず、弱酸性染料を用い、上述のように水できれいに仕上げられたかつら用毛髪の全体を同様に染色する。染色した後、かつら用毛髪を洗い、乾燥させ、例えば一端側で固定して束にする。
【００３５】
次に、多段染色工程（Ｓ４）では、予備染色されたかつら用毛髪を段階的に異なる色となるように染色する。
【００３６】
まず、かつら用毛髪の束を半分に折り、この束を例えば折り目側から弱酸性の染料に浸漬させる。そして、図３に示す、かつらベース２に植毛されたかつら用毛髪３のように、左半分３−１及び右半分３−２が根元側から第１の色Ｃ１、第２の色Ｃ２、第３の色Ｃ３の順に染色されるよう、かつら用毛髪３を段階的に染料に浸漬させていく。なお、第３の色Ｃ３については、上述の予備染色工程（Ｓ３）で染色された色のままとし、新たに染色しなくともよい。
【００３７】
かつら用毛髪３を段階的に染料に浸漬させていくには、例えば、束の半分に折った部分が下側になるようにかつら用毛髪３を保持し、予め決定された各色Ｃ１〜Ｃ３の領域ごとの長さに応じて、９９℃に自動温度設定された染料に、束を上下左右に一定の速度で揺り動かしながら浸漬させる。
【００３８】
揺り動かす時間は、染色する濃さなどにより決定されればよい。なお、上述のようにかつら用毛髪３を揺り動かしながら浸漬させることで、各色の境界部分は色調の差（グラデーションの程度、移行具合、色の違い）がはっきりとわかるものではなく、自然に生じたように見え、自然に発生する毛髪の褪色を再現することができる。
【００３９】
次に、植毛工程（Ｓ５）では、多段染色された毛髪を図２に示すかつら１のかつらベース２に図３に示すように植毛する。
【００４０】
例えば、図３に示すように、染色工程（Ｓ３）で束を半分に折った部分又はその近傍においてかつら用毛髪３をかつらベース２に植毛する。本実施の形態では、かつら用毛髪３を結びつけてかつらベース２に植毛するため、結び目３ａが束を半分に折った部分又はその近傍に位置することにある。
【００４１】
以上説明した本実施の形態では、かつら用毛髪の製造方法は、かつら用毛髪３を脱色する脱色工程（Ｓ２）と、脱色されたかつら用毛髪３の全体を染色する予備染色工程（Ｓ３）と、予備染色されたかつら用毛髪３を段階的に異なる色となるように染色する多段染色工程（Ｓ４）と、を備える。
【００４２】
そのため、予備染色工程（Ｓ３）において、多段染色工程（Ｓ４）で多段染色するそれぞれの色と同程度の色に染色することで、多段染色工程（Ｓ４）において、多段染色する量（濃さ等）を少なくすることができる。
【００４３】
よって、本実施の形態によれば、簡単かつ確実に多段染色を行うことができる。
【００４４】
また、本実施の形態においては、多段染色工程（Ｓ４）では、かつら用毛髪３の束を段階的に染料に浸漬させる。そのため、簡単に多段染色を行うことができる。
【００４５】
また、本実施の形態では、かつら用毛髪の染色方法は、脱色工程（Ｓ２）よりも前にかつら用毛髪３の表面処理を行う表面処理工程（Ｓ１）を更に備え、表面処理工程（Ｓ１）では、かつら用毛髪３を、硝酸を含む溶液に浸漬する。そのため、表面処理工程（Ｓ１）、ひいては、かつら用毛髪の染色方法を簡単に行うことができる。
【００４６】
また、本実施の形態においては、表面処理工程（Ｓ１）では、かつら用毛髪３を、硝酸及び次亜塩素酸カルシウムを含む溶液に浸漬する。そのため、表面処理工程（Ｓ１）、ひいては、かつら用毛髪の染色方法を簡単に行うことができる。
【００４７】
また、本実施の形態のかつら１の製造方法は、上記染色方法により染色されたかつら用毛髪３をかつらベース２に植毛する植毛工程（Ｓ５）を備える。そして、多段染色工程（Ｓ４）では、かつら用毛髪３の束を半分に折り、この束を両端側から段階的に染料に浸漬させ、植毛工程（Ｓ５）では、多段染色工程（Ｓ４）で束を半分に折った部分又はその近傍においてかつら用毛髪３をかつらベース２に植毛する（結び目３ａ）。そのため、簡単かつ確実に多段染色を行ってかつら１を製造することができる。
【００４８】
なお、本実施の形態では、かつら用毛髪の染色方法及びかつらの製造方法は、表面処理工程（Ｓ１）を含むが、かつら用毛髪の材料に表面処理を行う必要のない材料を用いる場合には、表面処理工程（Ｓ１）を省略してもよい。
【００４９】
また、脱色工程（Ｓ２）、予備染色工程（Ｓ３）及び多段染色工程（Ｓ４）の具体的処理については、特に限定されず、例えば、溶液の材料や濃度等を変更するなど、適宜変更可能である。
【００５０】
また、かつらベース２としては、ネットではなく人工樹脂からなる人工皮膚やそれ以外のものであってもよい。
【符号の説明】
【００５１】
１      かつら
２      かつらベース
３      かつら用毛髪
３ａ      結び目
【図１】
2012193462.tif 000003
【図２】
2012193462.tif 000004
【図３】
2012193462.tif 000005